(57)【要約】【課題】机などに置かれた携帯電話や手帳などの個人情報を有する携帯物を対象に、盗み見行為を未然に防止する携帯警報装置を提供することを目的とする。【解決手段】ブザーや音声合成などの警報音を発信するマイクロコンピュータを備えたプリント基盤と圧電ブザー又はマイクロスピーカーによる発音部とその駆動電源とを内蔵した警報装置本体と、警報装置本体外面を挿通可能に配設されたピンを着脱することにより前記プリント基盤のオンオフ状態を切り替える電源スイッチ機構と、警報装置本体底面を貫通状に配設されたリブ成型が自然降下することにより警報音を作動させる自動スイッチ機構とを備えた。【選択図】図６
2011070619.tif 000002
【特許請求の範囲】
【請求項１】
ブザーや音声合成などの警報音を発信するマイクロコンピュータを備えたプリント基盤と圧電ブザー又はマイクロスピーカーによる発音部とその駆動電源とを内蔵した警報装置本体と、警報装置本体外面を挿通可能に配設されたピンを着脱することにより前記プリント基盤のオンオフ状態を切り替える電源スイッチ機構と、警報装置本体底面を貫通状に配設されたリブ成型が自然降下することにより警報音を作動させる自動スイッチ機構とを備えたことを特長とする携帯警報装置。
【請求項２】
請求項１において、傾きや振動を感知する振動センサーと、前記振動センサーが傾きや振動を感知することによって警報音を作動させるセンサースイッチ機構をさらに備えたことを特長とする携帯警報装置。
【請求項３】
請求項１又は２において、発光ダイオードなどによる発光部と、警報音が作動状態のときに前記発光部が点滅発光するプログラム処理とをさらに備えたことを特長とする携帯警報装置。
【発明の詳細な説明】
【技術分野】
【０００１】  本発明は警報装置に関し、特に学校や職場など多数の人が混在する環境において、机などに置かれた携帯電話や手帳などを盗み見る行為に対して自動的に警報音を発しその周囲に報知する携帯警報装置に関するものである。
【背景技術】
【０００２】  携帯物が所有者の手元から離れしかも外部振動が加わると携帯物のブザーが鳴り続けるようになる盗難防止装置がある（例えば、特許文献１参照。）。【０００３】  また、バツクがひったくりや置引にあつたとき、盗難防止ブザーが鳴り、発光ダイオードが点灯して、周囲の人に犯行を知らせて犯罪を防止するものがある（例えば、特許文献２参照。）。
【特許文献１】特開平９−１０５６６６号公報
【特許文献２】特開２００５−１８５７９５号公報
【発明の開示】
【発明が解決しようとする課題】
【０００４】  以上に述べた従来の警報装置は、携帯物の盗難を防止するものであって、携帯物をその場で盗み見る行為に対しては防犯効果を十分に発揮できないという問題点があった。【０００５】  本発明は、上記従来の問題点に鑑み、机などに置かれた携帯電話や手帳など個人情報を有する携帯物を盗み見る行為に対して自動的に警報音を発しその周囲に報知する携帯用警報装置を提供することを目的とする。
【課題を解決するための手段】
【０００６】  請求項１記載の発明は、ブザーや音声合成などの警報音を発信するマイクロコンピュータを備えたプリント基盤と圧電ブザー又はマイクロスピーカーによる発音部とその駆動電源とを内蔵した警報装置本体と、警報装置本体外面を挿通可能に配設されたピンを着脱することにより前記プリント基盤のオンオフ状態を切り替える電源スイッチ機構と、警報装置本体底面を貫通状に配設されたリブ成型が自然降下することにより警報音を作動させる自動スイッチ機構とを備えたものである。【０００７】  請求項２記載の発明は、請求項１において、傾きや振動を感知する振動センサーと、前記振動センサーが傾きや振動を感知することによって警報音を作動させるセンサースイッチ機構をさらに備えたものである。【０００８】  請求項３記載の発明は、請求項１又は２において、発光ダイオードなどによる発光部と、警報音が作動状態のときに前記発光部が点滅発光するプログラム処理とをさらに備えたものである。
【発明の効果】
【０００９】    請求項１記載の発明によれば、本発明の携帯警報装置を携帯電話や手帳などの盗み見防止対象物の上面に置いた状態でピンを引き抜くことにより警報音の作動待機状態となり、盗み見行為を実行するために警報装置本体を持ち上げた瞬間に警報音が作動し、その警報音を広範囲に報知させることで盗み見行為を未然に防ぐ効果を発揮することができる。【００１０】  請求項２記載の発明によれば、請求項１において、傾きや振動を感知する振動センサーと、前記振動センサーが傾きや振動を感知することによって警報音を作動させるセンサースイッチ機構をさらに備えたことにより、警報装置本体底面と盗み見防止対象物上面との接触状態を維持しながら全体を裏返すなどの動作に対しても警報音が作動するようになり、盗み見防止効果を一層高めることができる。【００１１】  請求項３記載の発明によれば、請求項１又は２において、発光ダイオードなどによる発光部と、警報音が作動状態のときに前記発光部が点滅発光するプログラム処理とをさらに備えたことにより、暗い環境や騒音環境での盗み見防止効果を一層高めることができる。
【発明を実施するための最良の形態】
【００１２】ブザーや音声合成などの警報音を発信するマイクロコンピュータを備えたプリント基盤と圧電ブザー又はマイクロスピーカーによる発音部とその駆動電源とを内蔵した警報装置本体と、警報装置本体外面を挿通可能に配設されたピンを着脱することにより前記プリント基盤のオンオフ状態を切り替える電源スイッチ機構部と、警報装置本体底面を貫通状に配設されたリブ成型が自然降下することにより警報音を作動させる自動スイッチ機構部とを備え、さらに傾きや振動を感知することにより警報音を作動させるセンサースイッチ機構部と、警報音が作動状態のときに点滅発光する発光部を備えた携帯警報装置。
【実施例】
【００１３】  以下、図を参照して、本発明の携帯警報装置の一実施形態について説明する。まず、図１〜図２に基づき携帯警報装置の一構成部品である電源スイッチ機構部１の説明を行う。（ａ）は電源スイッチ機構部１の外観図であって、（ｂ）は（ａ）の側面図であり、また、（ｃ）及び（ｄ）は、（ａ）におけるＡ−Ａ線断面図であり、ピン４の着脱状態を示している。【００１４】  電源スイッチ機構部１の上部にはピン４を着脱可能に挿入するピン挿入開口５を備えており、ピン挿入開口５の下方には電源スイッチ機構部１の壁面を貫通突出する通電金具２と通電金具３が配設されている。（ｃ）に示すように、ピン挿入開口５にピン４が挿入された状態では通電金具２と通電金具３の接触が断たれ断線状態となり、（ｄ）に示すように、ピン挿入開口５からピン４が引き抜かれた状態では通電金具２と通電金具３が接触し通電状態になるよう構成されている。【００１５】  次に、図３〜図４に基づき携帯警報装置の一構成部品である自動スイッチ機構部６の説明を行う。（ｅ）は自動スイッチ機構部６の外観図であって、（ｆ）は（ｅ）の側面図であり、また、（ｇ）及び（ｈ）は、（ｅ）におけるＢ−Ｂ線断面図であり、自動スイッチ機構部６の内部の状態を示している。【００１６】  自動スイッチ機構部６の内部上側には通電性を有する金属球９とその下側には降下リブ成型１０を重力による自然降下可能に収容しており、金属球９と降下リブ成型１０の間には自動スイッチ機構部６の壁面を水平方向に貫通突出する通電金具７と通電金具８が配設されている。（ｇ）に示すように、自動スイッチ機構部６の底面が他の面と密着している状態では、降下リブ成型１０が金属球９を押し上げることにより、通電金具７と通電金具８が断線状態となり、（ｈ）に示すように、自動スイッチ機構部６の底面下側に非接触の空間がある状態では、降下リブ成型１０と金属球９が自然降下することにより通電金具７と通電金具８の両方に金属球９が接触し通電状態になるよう構成されている。【００１７】  図５は、警報装置本体１１の外観図であって、正面（ｉ）の中央部には、複数の通音用開口を備えた発音部１２が設けられており、その内部には後述のマイクロスピーカー１７が配設されている。背面（ｋ）には、駆動電源である電池を収容配置する電池収容部を開閉可能に閉蓋する電池蓋１３が配設されている。上面（ｌ）の中央内部には、電源スイッチ機構部１がピン挿入開口５にピン４を挿入可能に配設されている。また、ピン挿入開口５の前側には、発光部１４が設けられており、その内部には後述の発光ダイオード１８が配設されている。底面（ｍ）の中央内部には、自動スイッチ機構部６の降下リブ成型１０が降下可能に配設されている。（ｊ）は、警報装置本体１１の右側面を示した図である。【００１８】  図６は、図５（ｉ）におけるＣ−Ｃ線断面図であって、電池蓋１３の内側に収容された電池１５の電極は電源スイッチ機構部１の通電金具３と通電金具２を介してプリント基盤１６の電源用端子に接続されており、電源スイッチ機構部１にピン４が挿入されている状態ではプリント基盤１６の電源がオフ状態になり、ピン４を引き抜くことによりプリント基盤１６の電源がオン状態になるよう構成されている。【００１９】  また、自動スイッチ機構部６とセンサースイッチ機構部１９はプリント基盤１６の回路を通じてマイクロコンピュータ２０の入力ポートにそれぞれ接続されており、マイクロコンピュータ２０はいずれかの入力ポートへのオン信号によりマイクロスピーカー１７に警報音を出力し続けると同時に発光ダイオード１８を点滅発光させ続けるプログラム処理を備えている。【００２０】  すなわち、盗み見防止対象物の上面に警報装置本体１１を静止状に置き、続いて電源スイッチ機構部１に挿入されているピン４を引き抜いた状態においては、自動スイッチ機構部６とセンサースイッチ機構部１９はオフ状態であり警報音は停止しており、警報装置本体１１を持ち上げることで自動スイッチ機構部６を構成する降下リブ成型１０と金属球９が自然降下し、通電金具７と通電金具８が金属球９を介して通電することによるオン信号と、センサースイッチ機構部１９が振動や傾きを感知することにより発信されるオン信号のいずれかによってマイクロスピーカー１７の警報音と発光ダイオード１８の点滅発光を作動させるよう構成されている。【００２１】  また、一旦作動したマイクロスピーカー１７の警報音と発光ダイオード１８の点滅発光は、電源スイッチ機構部１にピン４を挿入し、プリント基盤１６の電源をオフ状態にすることにより停止させることができる。尚、プリント基盤１６は、図示しないが音量を増幅させるアンプ回路を備えることにより更に大きな警報音を発することができる。【００２２】  次に、図７を参照して、マイクロコンピュータ２０におけるプログラム処理について説明する。電源オンの初期状態において、２１は自動スイッチ機構部６と接続された入力ポートへのオン信号の有無判定による分岐処理であり、オン信号が無い場合は２２の処理へ進み、オン信号がある場合は２３の処理へ進む。２２はセンサースイッチ機構部１９と接続された入力ポートへのオン信号の有無判定による分岐処理であり、オン信号が無い場合は２１へ戻り、オン信号がある場合は２３の処理へ進む。２３はマイクロスピーカー１７の警報音と発光ダイオード１８の点滅発光を作動し続ける処理を行う。【００２３】  図８は、以上説明の一実施形態である携帯警報装置の使用例を示す図であって、携帯電話２４の上面に置かれた警報装置本体１１の電源スイッチ機構部１からピン４を引き抜いた状態を示しており、もし、携帯電話２４を盗み見するために警報装置本体１１を持ち上げた場合に、発音部１２が大きな警報音を発すると同時に発光部１４が点滅発光し、その警報音と点滅発光とを広範囲に報知することにより、盗み見行為を未然に防止する効果を発揮することができる。尚、図８では、盗み見防止対象物の一例として携帯電話を図示しているが、この図例に限定されるものではなく、手帳やノートパソコンなど個人情報が記録された携帯物全般に適用でき、さらに、財布やバッグ類など広範囲な携帯物にも応用できる。また、好ましい実施例を挙げて本発明を説明したが、本発明はその実施例に限定されるものではなく、筐体のデザインや警報音の種類など本発明の要旨の範囲で種々に改変できる。
【図面の簡単な説明】
【００２４】
【図１】  本発明の一実施形態の携帯警報装置における電源スイッチ機構部を示し、（ｂ）は（ａ）の側面を示した図。
【図２】  同携帯警報装置の図１（ａ）におけるＡ−Ａ線断面図。
【図３】  同携帯警報装置における自動スイッチ機構部を示し、（ｆ）は（ｅ）の側面を示した図。
【図４】  同携帯警報装置の図３（ｅ）におけるＢ−Ｂ線断面図。
【図５】  同携帯警報装置を示し、（ｉ）は正面図、（ｊ）は側面図、（ｋ）は背面図、（ｌ）は上面図、（ｍ）は底面図。
【図６】  同携帯警報装置の図５（ｉ）におけるＣ−Ｃ線断面図。
【図７】  同携帯警報装置のプログラム処理を説明する図。
【図８】  同携帯警報装置の使用状態の一例を示す斜視図。
【符号の説明】
【００２５】１    電源スイッチ機構部
２    通電金具
３    通電金具
４    ピン
５    ピン挿入開口
６    自動スイッチ機構部
７    通電金具
８    通電金具
９    金属球
１０  降下リブ成型
１１  警報装置本体
１２  発音部
１３  電池蓋
１４  発光部
１５  電池
１６  プリント基盤
１７  マイクロスピーカー
１８  発光ダイオード
１９  センサースイッチ機構部
２０  マイクロコンピュータ
２１  プログラム処理の説明
２２  プログラム処理の説明
２３  プログラム処理の説明
２４  携帯電話（盗み見防止対象物の一例）
【図１】
2011070619.tif 000003
【図２】
2011070619.tif 000004
【図３】
2011070619.tif 000005
【図４】
2011070619.tif 000006
【図５】
2011070619.tif 000007
【図６】
2011070619.tif 000008
【図７】
2011070619.tif 000009
【図８】
2011070619.tif 000010